(57)【要約】      （修正有）【課題】簡易な構成で廉価にて供給でき、しかも高精度に直角度を出すための研摩が可能で、研摩作業効率を向上し得るだけでなく、研摩作業を安全に行ない得るワックススクレーパー研摩具を提供する。【解決手段】板状のワックススクレーパーを研摩するためのヤスリ板２と、ヤスリ板２が設置される基台１とから成り、基台１は、下面にヤスリ板２のヤスリ板嵌装部３が形成されると共に、上面に、ワックススクレーパー５の厚さに対応する幅のガイド溝４が形成され、ガイド溝４の下にヤスリ板２が位置するようにされ、ワックススクレーパー５をガイド溝４に差し込んで、ガイド溝に沿って摺動可能にした。【選択図】図１
0003105855.tif 000002
【実用新案登録請求の範囲】
【請求項１】
板状のワックススクレーパーを研摩するためのヤスリ板と、前記ヤスリ板が設置される基台とから成り、前記基台は、下面に前記ヤスリ板のヤスリ板嵌装部が形成されると共に、上面に、前記ワックススクレーパーの厚さに対応する幅のガイド溝が形成され、前記ガイド溝の下に前記ヤスリ板が位置するようにされ、前記ワックススクレーパーを前記ガイド溝に差し込んで、前記ガイド溝に沿って摺動可能にしたことを特徴とするワックススクレーパー研摩具。
【請求項２】
板状のワックススクレーパーを研摩するためのヤスリ板と、前記ヤスリ板が設置される基台とから成り、前記基台は、下面に前記ヤスリ板のヤスリ板嵌装部が形成されると共に、上面に、前記ワックススクレーパーの厚さに対応する幅のガイド溝が形成され、前記ガイド溝の下に前記ヤスリ板が位置するようにされ、前記ワックススクレーパーを前記ガイド溝に差し込んで、前記ガイド溝に沿って摺動可能にして成り、前記ガイド溝は、一端又は両端が開放されていることを特徴とするワックススクレーパー研摩具。
【請求項３】
板状のワックススクレーパーを研摩するためのヤスリ板と、前記ヤスリ板が設置される基台とから成り、前記基台は、下面に前記ヤスリ板のヤスリ板嵌装部が形成されると共に、上面に、前記ワックススクレーパーの厚さに対応する幅のガイド溝が形成され、前記ガイド溝の下に前記ヤスリ板が位置するようにされ、前記ワックススクレーパーを前記ガイド溝に差し込んで、前記ガイド溝に沿って摺動可能にして成り、前記ヤスリ板嵌装部は、一端又は両端が開放されていることを特徴とするワックススクレーパー研摩具。
【考案の詳細な説明】
【技術分野】
【０００１】
本考案はワックススクレーパー研摩具、より詳細には、スキー板、スノーボード等の滑走面のワックス剥がしに使用するワックススクレーパーの、研摩作業効率の向上を企図した簡易な構成のワックススクレーパー研摩具に関するものである。
【背景技術】
【０００２】
上記用途に用いられるスキー用ワックススクレーパーは一般にプラスチック製の長方形状の板材であり、それを用いてのワキシング作業は、ワックスが完全に乾いてから、滑走面全体のワックスを、その底面角部を用いて削りカスが出なくなるまで削り取ることにより行なわれる。この時ワックススクレーパーの上部を強く持ち、少し寝かせて角度を付けながら作業するため、ワックススクレーパーの底面角部の使用部分が徐々に丸みを帯び、終にはワックスを十分に削り取ることが困難になってくる。
【０００３】
このようにワックススクレーパーの端に丸みが生じてきたときは、元のように端面に直角度が出るようにヤスリ板で研摩される。このワックススクレーパーの再生のための研摩具として、図５に示すようなヤスリ板を用いた研摩具がある。
【０００４】
このワックススクレーパー研摩具は、ヤスリ板１２を載置した基台１１上に、鉄板を直角に折り曲げて形成したガイド板１３を配し、その水平部１３ａを、ヤスリ板１２の一部を挟んで基台１１上にネジ付けることにより、基台１１上に固定したものである。
【０００５】
この研摩具の場合は、ヤスリ板１２上において垂直状態となるガイド板１３の垂直部１３ｂにワックススクレーパー１４の一側面を当接させると共にその底面をヤスリ板１２上に当接させ、ワックススクレーパー１４の上部を持ってガイド板１３の垂直部１３ｂから離れないように下方向に力を加えつつ、垂直部１３ｂに沿って往復動させることで研摩することになる。
【０００６】
しかるに、その作業中、ワックススクレーパー１４の被研摩面の角が丸みを帯びていることもあって、研摩作業中にワックススクレーパー１４がガイド板１３から離れやすくなり、離れることによって直角度が十分に出なかったり、前端部又は後端部が浮くために、ヤスリ板１２に当たっている側の端部が丸みを帯びてしまったりするおそれがあるだけでなく、ヤスリ板１２がむき出しになっているため、作業中に手をすりむく危険もある。
【考案の開示】
【考案が解決しようとする課題】
【０００７】
従来のワックススクレーパー研摩具には上述したような問題があったので、本考案はそのような問題のない、即ち、簡易な構成で廉価にて供給でき、しかも高精度に直角度を出すための研摩が可能で、研摩作業効率を向上し得るだけでなく、研摩作業を安全に行ない得るワックススクレーパー研摩具を提供することを課題とする。
【課題を解決するための手段】
【０００８】
本考案は、板状のワックススクレーパーを研摩するためのヤスリ板と、前記ヤスリ板が設置される基台とから成り、前記基台は、下面に前記ヤスリ板のヤスリ板嵌装部が形成されると共に、上面に、前記ワックススクレーパーの厚さに対応する幅のガイド溝が形成され、前記ガイド溝の下に前記ヤスリ板が位置するようにされ、前記ワックススクレーパーを前記ガイド溝に差し込んで、前記ガイド溝に沿って摺動可能にしたことを特徴とするワックススクレーパー研摩具、を以て上記課題を解決した。
【０００９】
前記ガイド溝は、一端又は両端が開放されることがあり、また、前記ヤスリ板嵌装部は、一端又は両端が開放されることがある。
【考案の効果】
【００１０】
本考案に係るワックススクレーパー研摩具によれば、ワックススクレーパーを横に立ててガイド溝に差し込み、その傾きを気にすることなく、単に下方に加圧しつつガイド溝に沿って移動させるだけで、十分直角度の出る研摩を行なうことができ、研摩作業の簡易化と効率化を図れ、また、ヤスリ板が露出していないために、作業を安全に行ない得る効果がある。
【考案を実施するための最良の形態】
【００１１】
本考案を実施するための最良の形態につき、添付図面に依拠して説明する。図１乃至図４は、本考案に係るワックススクレーパー研摩具の実施例を示すものであり、該研摩具は、基台１とヤスリ板２とで構成される。ヤスリ板２は、既存のものをそのまま使用することができる。
【００１２】
基台１は、ヤスリ板嵌装部３とガイド溝４とを備える。ガイド溝４は、基台１の上面中央部において長手方向に延びるように形成され、その一端又は両端が閉塞される場合と、一端又は両端が開放される場合とがある。図１に示す例では一端が閉塞されて、他端が開放されている。また、図３に示す例では、両端共開放されている。
【００１３】
ガイド溝４の幅は、ワックススクレーパー５の厚みより極く僅かに幅広となるように形成される。なお、ガイド溝４は無底であって、ヤスリ板嵌装部３まで抜けている。
【００１４】
ヤスリ板嵌装部３は、基台１の裏面を、用いるヤスリ板２に対応する大きさに凹ませることによって形成される。ヤスリ板嵌装部３は、通例、ヤスリ板２の抜けを防止するために、長尺側の少なくとも一端が閉塞される。図２に示す例では一端が抜止板６で閉塞され、図４に示す例では両端が抜止板６で閉塞されている。端部が閉塞されている場合、ヤスリ板２は作業中抜止板６に当たるため、長さ方向にずれ動くことがない。
【００１５】
このワックススクレーパー研摩具を使用するには、先ず、ヤスリ板２をヤスリ板嵌装部３内に嵌め込み、ワックススクレーパー５を、その被研摩面を下にしてガイド溝４に差し込む。その際ワックススクレーパー５の被研摩面は、ヤスリ板２に当接する。この状態でワックススクレーパー５を、下方に押圧するようにしながらガイド溝４に沿って往復動させると、ヤスリ板２に押し付けられているワックススクレーパー５の被研摩面が研摩されることになる。
【００１６】
このようにしてワックススクレーパー５を研摩していくと、やがて丸みを帯びていた被研摩面の両角が研摩されて、次第に直角度が出てくる。研摩作業中ワックススクレーパー５は、下方向の力を受け、また、左右側面はガイド溝４の側面に面接触し続けるため、傾くことはない。そのため、研摩作業時の安定性が格段に向上し、簡単かつ確実に、被研摩面の両側の直角度が得られる。その際、ヤスリ板２が露出していないため、手をすりむくことはない。
【００１７】
この考案をある程度詳細にその最も好ましい実施形態について説明してきたが、この考案の精神と範囲に反することなしに広範に異なる実施形態を構成することができることは明白なので、この考案は添付請求の範囲において限定した以外はその特定の実施形態に制約されるものではない。
【図面の簡単な説明】
【００１８】
【図１】本考案に係るワックススクレーパー研摩具の一実施形態を示す上方斜視図である。
【図２】本考案に係るワックススクレーパー研摩具の一実施形態を示す下方斜視図である。
【図３】本考案に係るワックススクレーパー研摩具の他の実施形態を示す斜視図である。
【図４】本考案に係るワックススクレーパー研摩具の他の実施形態を示す下方斜視図である。
【図５】従来のスキー用ワックススクレーパー研摩具の例を示す斜視図である。
【符号の説明】
【００１９】
１    基台
２    ヤスリ板
３    ヤスリ板嵌装部
４    ガイド溝
５    ワックススクレーパー
６    抜止板
【図１】
0003105855.tif 000003
【図２】
0003105855.tif 000004
【図３】
0003105855.tif 000005
【図４】
0003105855.tif 000006
【図５】
0003105855.tif 000007